(57)【要約】【課題】取り付けたままでも通常の開閉動作ができるとともに、戸締まりした引き戸を開けようとすると作動して警報を発する引き戸用警報装置を提供する。【解決手段】引き戸を施錠・開錠できる施錠・開錠装置１と、この施錠・開錠装置に連結されるスイッチ開閉器２と、スイッチ開閉器に連結された警報発生装置３とからなり、施錠・開錠装置１は、引き戸５の下枠５ａに固定したストッパー６を通常の開閉動作のときには通過し、戸締まりしたときにはストッパー６で停止する回転可能なラジェットカムと、施錠・開錠装置１がスイッチ開閉器２に連結される連結部材を有し、前記スイッチ開閉器は、常開スイッチと施錠・開錠装置の連結部材に押圧されて回動して前記常開スイッチをオンする蓋を有し、前記警報発生装置は前記スイッチ開閉器との連結により前記常開スイッチに接続される、電源とブザーを備えた回路を有している。【選択図】　　図１
0003099022.tif 000002
【実用新案登録請求の範囲】
【請求項１】
開錠により取り付けたままで引き戸の通常の開閉動作ができるとともに、施錠により戸締まりした引き戸を開けようとすると作動して警報を発する引き戸用警報装置において、
引き戸を施錠・開錠できる施錠・開錠装置と、この施錠・開錠装置に連結され且つ引き戸に取り付けるスイッチ開閉器と、スイッチ開閉器に連結された警報を発する警報発生装置とからなり、
前記施錠・開錠装置は、引き戸の下枠に固定したストッパーを通常の開閉動作のときには通過し、戸締まりしたときには前記ストッパーで停止する回転可能なラジェットカムと、施錠・開錠装置が前記スイッチ開閉器に連結される連結部材を有し、
前記スイッチ開閉器は、常開スイッチと施錠・開錠装置の前記連結部材に押圧されて回動して前記常開スイッチをオンする蓋を有し、
前記警報発生装置は前記スイッチ開閉器との連結により前記常開スイッチに接続される、電源とブザーを備えた回路を有していることを特徴とする引き戸用警報装置。
【請求項２】
前記ラジェットカムに対して離接可能にバネで付勢された、挿入された鍵で回転可能なロックカムが設けられ、前記ラジェットカムにはロックカムに立設された係止ピンが出入り可能な係止円孔および係止長孔が対向して設けられていることを特徴とする請求項１記載の引き戸用警報装置。
【考案の詳細な説明】
【０００１】
【考案の属する技術分野】
本考案は、取り付けたままで引き戸の開閉が可能で且つ戸締まりした引き戸を開放しようとすると警報を発する引き戸用警報装置に関する。
【０００２】
【従来の技術】
引き戸の防犯アラームにおいて、戸の開放により作動して警報を発するものがある。例えば、特許文献１には、引き戸の敷居に警報器を取付ネジで取り付け、引き戸が開かれると警報器の操作片が引き戸に押圧されてブザーを作動させて警報を発する警報器が記載されている。
【０００３】
【特許文献１】
特開２０００−５７４４３号公報
【０００４】
【考案が解決しようとする課題】
従来の警報器は敷居に取り付けられるため、通常の引き戸の開閉を行うときは、取付ネジを外して敷居から警報器を取り外し、再度取り付けが面倒であるためそのままにして警報器が利用されない場合がある。また、警報器を取り付けたままで引き戸を開けると警報を発して誤作動となる。
【０００５】
そこで、本考案は、取り付けたままでも警報を発することなく引き戸の通常の開閉動作ができるとともに、戸締まりした引き戸を開けようとすると作動して警報を発する引き戸用警報装置を提供するものである。
【０００６】
【課題を解決するための手段】
本考案は、開錠により取り付けたままで引き戸の通常の開閉動作ができるとともに、施錠により戸締まりした引き戸を開けようとすると作動して警報を発する引き戸用警報装置において、引き戸を施錠・開錠できる施錠・開錠装置と、この施錠・開錠装置に連結され且つ引き戸に取り付けるスイッチ開閉器と、スイッチ開閉器に連結された警報を発する警報発生装置とからなり、前記施錠・開錠装置は、引き戸の下枠に固定したストッパーを通常の開閉動作のときには通過し、戸締まりしたときには前記ストッパーで停止する回転可能なラジェットカムと、施錠・開錠装置が前記スイッチ開閉器に連結される連結部材を有し、前記スイッチ開閉器は、常開スイッチと施錠・開錠装置の前記連結部材に押圧されて回動して前記常開スイッチをオンする蓋を有し、前記警報発生装置は前記スイッチ開閉器との連結により前記常開スイッチに接続される、電源とブザーを備えた回路を有していることを特徴とする。
【０００７】
【考案の実施の形態】
図１は本考案の引き戸用警報装置の全体図、図２は同平面図である。引き戸用警報装置（以下「警報装置」という。）は、施錠・開錠装置１とこの施錠・開錠装置１に連結されたスイッチ開閉器２とスイッチ開閉器２の上部に連結された警報発生装置３で構成されている。引き戸５の下枠５ａに接着剤などで固定したストッパー６には、施錠・開錠装置１のラジェットカム７の爪７ａが入り込む係止凹部６ｂが、係止突起６ａにより複数形成されている。
【０００８】
スイッチ開閉器２が引き戸の縦枠５ｂに接した状態で固定され、施錠・開錠装置１がスイッチ開閉器２に連結されて引き戸５の下枠５ａに取り付けたストッパー６に施錠・開錠装置１のラジェットカム７の爪７ａが係止される。この状態で、戸締まりした引き戸５が不正に開放されるとスイッチ開閉器２が作動してスイッチがオンされて警報発生装置が警報を発するものである。施錠・開錠装置１の施錠と開錠は、鍵１２を押しながら回転させて行う。
【０００９】
図３（ａ）は本考案で使用する警報発生装置とスイッチ開閉器の取り付け状態を示す分解斜視図、（ｂ）は回路図である。警報発生装置３は、ケース３ａ内にブザー３ｄと乾電池３ｂが配置され、スイッチ開閉器２のスイッチ２ａとホーンジャック２ｂ，３ｃの接続により回路が形成される。スイッチ開閉器２は蓋２ｃがスイッチ２ａ側に回動するようにケース３ａに取り付けられる。スイッチ開閉器２のスイッチ２ａは常開スイッチである。図３（ｂ）において、スイッチ開閉器２の蓋２ｃが引き戸の開放によってストッパ６に爪７ａが係止して移動しない施錠・開錠装置１に押されてスイッチ２ａ側に回動し、蓋２ｃに設けたスプリング２ｄがスイッチ２ａを押してオンし、ブザー３（警報発生装置）が鳴る。引き戸を戻すと蓋２ｃが戻ってスイッチ２ａはオフされる。
【００１０】
図４は本考案の施錠・開錠装置の組み立て手順を示し、ケースを裏返しにして組み立てていく状態を示す図、図５はラジェットカムとロックカムの係合関係を示す断面図である。
【００１１】
図４（ａ）に示すように、施錠・開錠装置１のケース８は表板８ａとその周囲の三方を取り囲んだ側壁８ｂからなり、施錠・開錠装置１を引き戸５にセットしたときに窓側となる側がラジェットカム７の爪７ａが側壁８ｂの外へ突出するように開放されている。表板８ａの中央からケース内に向かって鍵を通す鍵穴８ｃを有する鍵穴軸８ｄが設けられている。８ｅはスイッチ開閉器の蓋と連結させるための連結部材である。
【００１２】
図４（ｂ）に示すように、表板８ａにラジェットバネ７ｆの一方を固定する。
【００１３】
図４（ｃ）に示すように、表板８ａの鍵穴軸８ｄにはラジェットカム７が軸支され、ラジェットバネ７ｆの他方を固定し、ラジェットカム７はラジェットバネ７ｆにより右回転方向あるいは左回転方向に付勢され、爪７ａはストッパー６の係止凹部６ｂに入り込む。一対の爪７ａは約１４０度の間隔で設けられている。爪７ａは垂直部７ｂと傾斜部７ｃで構成され、各爪７ａの垂直部７ｂは向かい合うように形成される。さらにラジェットカム７には係止円孔７ｄと係止長孔７ｅが形成されており、係止円孔７ｄあるいは係止長孔７ｅには後述するロックカム９の係止ピン９ａが出入りする。
【００１４】
図４（ｄ）に示すように、ラジェットカム７に重ねてロックカム９がケース８の表板８ａの鍵穴軸８ｄに軸支される。ロックカム９のラジェットカム側にはラジェットカム７の係止円孔７ｄあるいは係止長孔７ｅに出入りする係止ピン９ａが設けられている。さらに係止ピン９ａと反対側の面に規制ピン９ｂが設けられている。
【００１５】
図４（ｅ）に示すように、ロックカム９はロックバネ１１を介して裏蓋１０に支持されている。
【００１６】
図４（ｆ）に示すように、ロックカム９には施錠・開錠装置１の裏蓋１０の円弧状の規制溝１０ａに沿って移動する規制ピン９ｂが設けられている。
【００１７】
図５（ａ）に示すように、ロックカム９はロックバネ１１でラジェットカム側に付勢されており、係止ピン９ａが係止円孔７ｄに入り込んでいる。
【００１８】
図５（ｂ）に示すように、ロックカム９を回転させるときは、ロックカム９を鍵で裏蓋側に押圧して係止ピン９ａを係止円孔７ｄから外し、図５（ｃ）に示すように、押圧したままで回転させ、係止ピン９ａを係止円孔７ｄから係止長孔７ｅへ移動させ、鍵の押圧を解除すると、図５（ｄ）に示すように、係止ピン９ａが係止長孔７ｅへ入り込む。係止長孔７ｅから係止円孔７ｄへ移動させる場合も同様の手順で行う。
【００１９】
次ぎに本考案の警報装置の動作について説明する。図６〜図８はラジェットカムの動作を示す図である。
【００２０】
ストッパー６を引き戸の下枠５ａに接着剤で固定する。
【００２１】
スイッチ開閉器２とスイッチ開閉器２の上部に取り付けた警報発生装置３を開放側の縦枠５ｂに取り付けた後、ストッパー６の係止凹部６ｂに施錠・開錠装置１のラジェットカム７の爪７ｅを入れた状態で施錠・開錠装置１をスイッチ開閉器２に係合させてセットする。
【００２２】
（１）引き戸を開ける場合（図６参照）
図６（ａ）に示すように、引き戸を開ける際に警報発生装置が鳴らないようにするためラジェットカムが回転するようにする。このため、鍵を押し込んでロックカムの係止ピン９ａを係止円孔７ｄから外して回転させ、係止ピン９ａをラジェットカムの係止長孔７ｅの位置に入れて鍵の押し込みを解除する。この状態では、爪７ａの垂直部７ｂがスイッチ開閉器側に位置する状態でストッパー６の係止凹部６ｂに入り込む。なお、係止ピン９ａが係止長孔７ｅでロック状態の位置にある場合は、鍵を押し込むことなくそのまま回転させて係止ピンを係止長孔内で解除の位置に移動させて、爪７ａの垂直部７ａがスイッチ開閉器側に位置する状態にする。
【００２３】
図６（ｂ）に示すように、係止ピン９ａを係止長孔７ｅに入れた状態で、戸を開くと警報装置が移動し、爪７ａの傾斜部７ｃがストッパー６の係止突起６ａに当たるが、爪７ａの傾斜部７ｃは係止突起６ａに当たって回転して係止凹部６ｂから外れて押さえられ係止突起６ａを乗り越えるので、戸はそのまま移動させて開けることができる。
【００２４】
（２）引き戸を閉める場合（図７参照）
開けた戸を閉める際にも警報発生装置が鳴らないようにするためラジェットが回転するようにする。そのため、図７（ａ）に示すように、鍵を押し込むことなくそのまま回転させて係止ピン９ａを係止長孔７ｅの反対位置へ移動させると、ラジェットカム７の爪７ａの傾斜部７ｃがスイッチ開閉器側に位置する状態となる。この状態で、図７（ｂ）に示すように、戸を開くと警報装置が移動し、爪７ａの傾斜部７ｃがストッパー６の係止突起６ａに当たるが、爪７ａの傾斜部７ｃは係止突起６ａを滑りながら回転して係止凹部６ｂから外れて乗り越えるので、戸はそのまま移動させて閉めることができる。
【００２５】
（３）引き戸をロックする場合（図８参照）
閉めた扉をロックする場合は、ラジェットの爪の垂直面がストッパで停止してラジェットが回転しないようにする必要がある。そのため、図８に示すよに、ロックカムの係止ピン９ａをラジェットカム７の係止円孔７ｄに入れる。この状態では、爪７ａの垂直部７ｂがスイッチ開閉器側に位置する状態でストッパー６の係止凹部６ｂに入り込む。
【００２６】
戸を開こうとすると、爪７ａの垂直部７ｂがストッパー６の係止突起６ａに当たるが、係止ピン９ａが係止円孔７ｄに入って係止されているので、ラジェットカムが回転しない。さらに無理に戸を開けようとすると、スイッチ開閉器２が施錠・開錠装置に押されて回動してスイッチ開閉器内のスプリング２ｄがスイッチ２ａをオンするために警報発生装置が鳴って不正に戸が開けられようとしていることを報知することができる。
【００２７】
【考案の効果】
本考案の引き戸用警報装置により、取り付けたままでも警報を発することなく引き戸の通常の開閉動作ができるとともに、戸締まりした引き戸を開けようとすると作動して警報を発することができる。
【図面の簡単な説明】
【図１】本考案の警報装置の全体図である。
【図２】本考案の警報装置の平面図である。
【図３】（ａ）は本考案で使用する警報発生装置とスイッチ開閉器の取り付け状態を示す分解斜視図、（ｂ）は回路図である。
【図４】本考案の施錠・開錠装置の組み立て手順を示す図である。
【図５】ラジェットカムとロックカムの係合関係を示す断面図である。
【図６】引き戸を開放するときのラジェットカムの動作を示す図である。
【図７】引き戸を閉めるときのラジェットカムの動作を示す図である。
【図８】戸締まりした引き戸を開けようとしたときのラジェットカムの動作を示す図である。
【符号の説明】
１：施錠・開錠装置　　２：スイッチ開閉器
２ａ：スイッチ　　　　２ｂ：ホーンジャック
３：警報発生装置　　　３ａ：ケース
３ｂ：乾電池　　　　　３ｃ：ホーンジャック
３ｄ：ブザー　　　　　４：敷居
５：引き戸　　　　　　５ａ：下枠
５ｂ：縦枠　　　　　　６：ストッパー
６ａ：係止突起　　　　６ｂ：係止凹部
７：ラジェットカム　　７ａ：爪
７ｂ：垂直部　　　　　７ｃ：傾斜部
７ｄ：係止円孔　　　　７ｅ：係止長孔
７ｆ：ラジェットバネ　８：ケース
８ａ：表板　　　　　　８ｂ：側壁
８ｃ：鍵穴　　　　　　８ｄ：鍵穴軸
８ｅ：スイッチ開閉器係合部
９：ロックカム　　　　９ａ：係止ピン
９ｂ：規制ピン　　　　１０：裏蓋
１０ａ：規制溝　　　　　１１：ロックバネ
１２：鍵
【図１】
0003099022.tif 000003
【図２】
0003099022.tif 000004
【図３】
0003099022.tif 000005
【図４】
0003099022.tif 000006
【図５】
0003099022.tif 000007
【図６】
0003099022.tif 000008
【図７】
0003099022.tif 000009
【図８】
0003099022.tif 000010